(57)【要約】【課題】照明機器の設置時に実施される設定のための工数を削減することを課題とする。【解決手段】制御装置は、指示部と、取得部と、グループ処理部とを有する。指示部は、灯具内に設けられる第１の照明機器に対して調光制御を指示する。取得部は、照度センサを有する第２の照明機器に対して照度データの取得を要求して、該第２の照明機器から照度データを取得する。グループ処理部は、取得された照度データが所定閾値以上である第２の照明機器の識別情報と、第１の照明機器の識別情報とを、同一の灯具に含まれる照明機器のグループに分ける。【選択図】図４
2018073701.tif 000002
【特許請求の範囲】
【請求項１】
灯具内に設けられる第１の照明機器に対して調光制御を指示する指示部と、
照度センサを有する第２の照明機器に対して照度データの取得を要求して、前記第２の照明機器から照度データを取得する取得部と、
取得された前記照度データが所定閾値以上である前記第２の照明機器の識別情報と、前記第１の照明機器の識別情報とを、同一の前記灯具に含まれる照明機器のグループに分けるグループ処理部と
を有することを特徴とする制御装置。
【請求項２】
前記グループ処理部は、１の灯具に含まれる照明機器の数がＮ（Ｎは、２以上の自然数）である場合に、前記照度データがより高い値を示すＮ−１の数の前記第２の照明機器の識別情報と、前記第１の照明機器の識別情報とを、前記グループに分けることを特徴とする請求項１に記載の制御装置。
【請求項３】
前記グループ処理部は、同一の前記識別情報を含む異なる前記グループを、１のグループに統合することを特徴とする請求項１又は２に記載の制御装置。
【請求項４】
前記指示部は、前記グループに属していない前記第１の照明機器に対して調光制御を指示し、
前記取得部は、前記グループに属していない前記第２の照明機器に対して照度データの取得を要求して、前記第２の照明機器から照度データを取得し、
前記グループ処理部は、前記照度データが前記所定閾値以上である前記第２の照明機器の識別情報と、前記第１の照明機器の識別情報とを、前記グループに分け、同一の前記識別情報を含む異なる前記グループを、１のグループに統合することを特徴とする請求項３に記載の制御装置。
【請求項５】
前記グループ処理部は、前記グループ間で不整合が生じる前記識別情報が存在する場合に、対象の前記グループを削除することを特徴とする請求項４に記載の制御装置。
【請求項６】
前記グループ処理部は、前記グループに属していない照明機器の識別情報を、例外として扱う照明機器のグループに分けることを特徴とする請求項５に記載の制御装置。
【請求項７】
制御装置で実行される制御方法であって、
灯具内に設けられる第１の照明機器に対して調光制御を指示する指示工程と、
照度センサを有する第２の照明機器に対して照度データの取得を要求して、前記第２の照明機器から照度データを取得する取得工程と、
取得された前記照度データが所定閾値以上である前記第２の照明機器の識別情報と、前記第１の照明機器の識別情報とを、同一の前記灯具に含まれる照明機器のグループに分けるグループ処理工程と
を含むことを特徴とする制御方法。
【請求項８】
灯具内に設けられる第１の照明機器に対して調光制御を指示する指示ステップと、
照度センサを有する第２の照明機器に対して照度データの取得を要求して、前記第２の照明機器から照度データを取得する取得ステップと、
取得された前記照度データが所定閾値以上である前記第２の照明機器の識別情報と、前記第１の照明機器の識別情報とを、同一の前記灯具に含まれる照明機器のグループに分けるグループ処理ステップと
をコンピュータに実行させるための制御プログラム。
【請求項９】
灯具内に設けられる第１の照明機器と、照度センサを有する第２の照明機器と、制御装置とを有する制御システムであって、
前記制御装置は、
前記第１の照明機器に対して調光制御を指示する指示部と、
前記第２の照明機器に対して照度データの取得を要求して、前記第２の照明機器から照度データを取得する取得部と、
取得された前記照度データが所定閾値以上である前記第２の照明機器の識別情報と、前記第１の照明機器の識別情報とを、同一の前記灯具に含まれる照明機器のグループに分けるグループ処理部と、を有し、
前記第１の照明機器は、
前記制御装置からの指示に従って調光制御を実行する調光制御部を有し、
前記第２の照明機器は、
前記制御装置からの要求に応じて前記照度センサによるセンシングを制御するセンサ制御部と、
前記照度センサによるセンシングによって得られた照度データの前記制御装置に対する送信を制御する通信制御部と
を有することを特徴とする制御システム。
【発明の詳細な説明】
【技術分野】
【０００１】
本発明は、制御装置、制御方法、制御プログラム及び制御システムに関する。
【背景技術】
【０００２】
従来、人感センサや照度センサ等を利用して、オフィス等の所定空間内における所定領域の照度を最適化するための技術が知られている。例えば、特許文献１（特開２０１６−６６６０３号公報）では、所定空間内における領域それぞれの温度を検知し、人間による熱源の範囲を示す所定範囲内の温度でなければ、熱源がないものとして、熱源の有無を示す熱源データを生成する技術が開示されている。そして、特許文献１では、生成された熱源データをもとに照明機器の調光制御を実施することで、熱源がある領域と熱源がない領域との照度を最適化している。
【発明の概要】
【発明が解決しようとする課題】
【０００３】
しかしながら、従来技術は、照明機器の設置時に実施される設定のための工数が増大するという問題がある。例えば、照明機器の調光制御を実施する場合に、ユーザは、各照明機器の調光率を設定する。これにより、照明機器の個別のアドレスが指定され、指定されたアドレスに対応する照明機器ごとに調光制御が実施される。また、１灯具内に複数の照明機器が含まれる場合には、１灯具内に含まれる照明機器それぞれに対する調光制御を共通にしたいという要求がある。かかる要求に対しては、照明機器の設置時等に、個々の照明機器のアドレスを同一の灯具ごとに紐付けるための設定が行なわれる。
【０００４】
同一の灯具ごとに照明機器のアドレスが紐付けられたうえで、ユーザは、各灯具の調光率を設定する。これにより、各灯具の調光率をユーザに設定させるだけで、個別のアドレスに対応する照明機器ごとに調光制御が実施され、１灯具内に含まれる照明機器それぞれに対する調光制御を共通にすることができる。従来技術は、１灯具内に複数の照明機器が含まれる場合に、同一の灯具ごとに照明機器のアドレスを紐付けるための設定について考慮されていないため、照明機器の設置時に実施される設定のための工数が増大する。
【０００５】
本発明は、上記に鑑みてなされたものであって、照明機器の設置時に実施される設定のための工数を削減することを目的とする。
【課題を解決するための手段】
【０００６】
上述した課題を解決し、目的を達成するため、本発明に係る制御装置は、灯具内に設けられる第１の照明機器に対して調光制御を指示する指示部と、照度センサを有する第２の照明機器に対して照度データの取得を要求して、前記第２の照明機器から照度データを取得する取得部と、取得された前記照度データが所定閾値以上である前記第２の照明機器の識別情報と、前記第１の照明機器の識別情報とを、同一の前記灯具に含まれる照明機器のグループに分けるグループ処理部とを有する。
【発明の効果】
【０００７】
本発明の一つの様態によれば、照明機器の設置時に実施される設定のための工数を削減することができるという効果を奏する。
【図面の簡単な説明】
【０００８】
【図１】図１は、実施の形態１に係る制御システムのシステム構成例を示す図である。
【図２】図２は、実施の形態１に係る制御装置及び無線ＧＷのハードウェア構成例を示すブロック図である。
【図３Ａ】図３Ａは、実施の形態１に係る照度センサを有するＬＥＤ調光管のハードウェア構成例を示すブロック図である。
【図３Ｂ】図３Ｂは、実施の形態１に係る照度センサを有しないＬＥＤ調光管のハードウェア構成例を示すブロック図である。
【図４】図４は、実施の形態１に係る制御装置の機能構成例を示すブロック図である。
【図５】図５は、実施の形態１に係るＬＥＤ調光管及びＬＥＤ調光管の環境構成例を示す図である。
【図６】図６は、実施の形態１に係る記憶部に記憶される情報例を説明する図である。
【図７Ａ】図７Ａは、実施の形態１に係る１の灯具に含まれる照明機器の管本数が２である場合のグルーピング処理の例を説明する図である。
【図７Ｂ】図７Ｂは、実施の形態１に係る１の灯具に含まれる照明機器の管本数が２である場合のグルーピング処理の例を説明する図である。
【図７Ｃ】図７Ｃは、実施の形態１に係る１の灯具に含まれる照明機器の管本数が２である場合のグルーピング処理の例を説明する図である。
【図８Ａ】図８Ａは、実施の形態１に係る１の灯具に含まれる照明機器の管本数が３である場合のグルーピング処理の例を説明する図である。
【図８Ｂ】図８Ｂは、実施の形態１に係る１の灯具に含まれる照明機器の管本数が３である場合のグルーピング処理の例を説明する図である。
【図８Ｃ】図８Ｃは、実施の形態１に係る１の灯具に含まれる照明機器の管本数が３である場合のグルーピング処理の例を説明する図である。
【図９】図９は、実施の形態１に係るグルーピング処理の流れの例を示すフローチャートである。
【図１０】図１０は、実施の形態１に係る共通調光制御処理の流れの例を示すフローチャートである。
【図１１】図１１は、グルーピング処理後のシステム適用例を説明する図である。
【図１２】図１２は、実施の形態１に係る制御装置の機能構成例を示すブロック図である。
【図１３Ａ】図１３Ａは、実施の形態２に係る同一の調光管ＩＤが異なるグループに跨って登録される場合のグルーピング処理の例を説明する図である。
【図１３Ｂ】図１３Ｂは、実施の形態２に係る同一の調光管ＩＤが異なるグループに跨って登録される場合のグルーピング処理の例を説明する図である。
【図１３Ｃ】図１３Ｃは、実施の形態２に係る同一の調光管ＩＤが異なるグループに跨って登録される場合のグルーピング処理の例を説明する図である。
【図１４】図１４は、実施の形態２に係るグルーピング処理の流れの例を示すフローチャートである。
【図１５】図１５は、実施の形態３に係る制御装置の機能構成例を示すブロック図である。
【図１６Ａ】図１６Ａは、実施の形態３に係る１灯具内の全てが照度センサを有するＬＥＤ調光管である場合のグルーピング処理の例を説明する図である。
【図１６Ｂ】図１６Ｂは、実施の形態３に係る１灯具内の全てが照度センサを有するＬＥＤ調光管である場合のグルーピング処理の例を説明する図である。
【図１６Ｃ】図１６Ｃは、実施の形態３に係る１灯具内の全てが照度センサを有するＬＥＤ調光管である場合のグルーピング処理の例を説明する図である。
【図１６Ｄ】図１６Ｄは、実施の形態３に係る１灯具内の全てが照度センサを有するＬＥＤ調光管である場合のグルーピング処理の例を説明する図である。
【図１６Ｅ】図１６Ｅは、実施の形態３に係る１灯具内の全てが照度センサを有するＬＥＤ調光管である場合のグルーピング処理の例を説明する図である。
【図１６Ｆ】図１６Ｆは、実施の形態３に係る１灯具内の全てが照度センサを有するＬＥＤ調光管である場合のグルーピング処理の例を説明する図である。
【図１７】図１７は、実施の形態３に係るグルーピング処理の流れの例を示すフローチャートである。
【図１８】図１８は、実施の形態４に係る制御装置の機能構成例を示すブロック図である。
【図１９Ａ】図１９Ａは、実施の形態４に係る１灯具内の全てが照度センサを有しないＬＥＤ調光管である場合のグルーピング処理の例を説明する図である。
【図１９Ｂ】図１９Ｂは、実施の形態４に係る１灯具内の全てが照度センサを有しないＬＥＤ調光管である場合のグルーピング処理の例を説明する図である。
【図１９Ｃ】図１９Ｃは、実施の形態４に係る１灯具内の全てが照度センサを有しないＬＥＤ調光管である場合のグルーピング処理の例を説明する図である。
【図２０】図２０は、実施の形態４に係るグルーピング処理の流れの例を示すフローチャートである。
【図２１】図２１は、グループ分けされた調光管ＩＤに不整合が生じた場合のグルーピング処理の例を説明する図である。
【発明を実施するための形態】
【０００９】
以下に添付図面を参照して、本発明に係る制御装置、制御方法、制御プログラム及び制御システムの実施の形態を説明する。なお、以下の実施の形態により本発明が限定されるものではない。また、各実施の形態は、内容を矛盾させない範囲で、適宜組み合わせることができる。
【００１０】
（実施の形態１）
［システム構成］
図１を用いて、実施の形態１に係る制御システム１のシステム構成を説明する。図１は、実施の形態１に係る制御システム１のシステム構成例を示す図である。
【００１１】
図１に示すように、制御システム１には、制御装置１０と、無線ＧＷ（GateWay）２０と、ＬＥＤ（Light  Emitting  Diode）調光管３０と、ＬＥＤ調光管４０とが含まれる。これらのうち、ＬＥＤ調光管３０とＬＥＤ調光管４０とは、ＬＥＤを有する照明機器であり、ＬＥＤの点灯や消灯、調光制御を実施する。また、ＬＥＤ調光管３０とＬＥＤ調光管４０とは、制御システム１に複数存在し、複数の灯具の何れかに含まれる。さらに、ＬＥＤ調光管３０は、口金等の所定箇所に、照度を検知するための照度センサを有する。制御装置１０は、ＰＣ（Personal  Computer）やサーバ装置等の情報処理装置であり、無線ＧＷ２０を介して、ＬＥＤ調光管３０やＬＥＤ調光管４０に対して、ＬＥＤの点灯や消灯、調光を制御するための指示を行なうことができる。また、制御装置１０は、灯具ごとに、ＬＥＤの点灯や消灯、調光を制御するための指示を行なうことができる。
【００１２】
本実施の形態では、１灯具内に含まれるＬＥＤ調光管３０及びＬＥＤ調光管４０それぞれに対する調光制御を共通にすることを考える。具体的には、本実施の形態では、ＬＥＤ調光管３０及びＬＥＤ調光管４０の設置時等に、個々のＬＥＤの識別情報を、同一の灯具ごとに対応付ける。これにより、ユーザは、各灯具に対する調光率を設定することで、１灯具内に含まれるＬＥＤ調光管３０及びＬＥＤ調光管４０に対する調光制御を共通にすることができる。ここで、制御システム１では、１灯具内に含まれるＬＥＤの本数、ＬＥＤ調光管３０を識別する識別情報、及び、ＬＥＤ調光管４０を識別する識別情報を予め把握しているものとする。
【００１３】
上述した構成において、制御装置１０は、灯具内に設けられる第１の照明機器に対して調光制御を指示する。第１の照明機器は、制御装置１０による調光制御指示の対象となる照明機器を指す。実施の形態１において、第１の照明機器は、センサを有しないＬＥＤ調光管４０を指す。例えば、制御装置１０は、ＬＥＤ調光管３０及びＬＥＤ調光管４０の全てが消灯している状態において、予め把握しているＬＥＤ調光管４０の識別情報をもとに、調光を制御するための指示をＬＥＤ調光管４０に対して順次行なう。これにより、制御システム１に含まれる何れか一つのＬＥＤ調光管４０は、制御装置１０からの指示に従って調光制御を実施し、自身のＬＥＤを発光させる。
【００１４】
そして、制御装置１０は、照度センサを有する第２の照明機器に対して照度データの取得を要求して、該第２の照明機器から照度データを取得する。第２の照明機器は、制御装置１０によって照度データの取得が要求される対象となる照明機器を指す。実施の形態１において、第２の照明機器は、照度センサを有するＬＥＤ調光管３０を指す。例えば、制御装置１０は、制御システム１に含まれる何れか一つのＬＥＤ調光管４０に対して調光制御を指示した状態において、予め把握しているＬＥＤ調光管３０の識別情報をもとに、制御システム１に含まれる全てのＬＥＤ調光管３０に対して照度データの取得を要求する。これにより、制御システム１に含まれる全てのＬＥＤ調光管３０は、照度センサによるセンシングを実施し、取得された照度データを制御装置１０に対して出力する。
【００１５】
続いて、制御装置１０は、取得された照度データが所定閾値以上である第２の照明機器の識別情報と、第１の照明機器の識別情報とを、同一の灯具に含まれる照明機器のグループに分ける。例えば、制御装置１０は、取得した全ての照度データをもとに、所定閾値以上の値を示すＬＥＤ調光管３０の識別情報と、調光制御を指示したことで発光しているＬＥＤ調光管４０の識別情報とを、同一の灯具に含まれる照明機器として、同一のグループに分けて登録する。これらの後、制御装置１０は、調光制御を指示していないＬＥＤ調光管４０に対して調光制御を指示し、上記と同様に、照度データが所定閾値以上の値を示すＬＥＤ調光管３０とのグルーピングを実施する。
【００１６】
つまり、同一の灯具に含まれる照明機器であれば、照度センサから得られる照度データの値がより高くなるため、制御システム１では、ＬＥＤ調光管４０に調光制御を指示し、センサを有するＬＥＤ調光管３０から照度データを取得し、照度データがより高い値を示すＬＥＤ調光管３０の識別情報と、調光制御を指示したＬＥＤ調光管４０の識別情報とを、同一の灯具に含まれる照明機器としてグルーピングする。この結果、制御システム１は、照明機器の設置時に実施される設定（同一の灯具に含まれる照明機器のグルーピング）のための工数を削減することができる。
【００１７】
［ハードウェア構成］
次に、図２を用いて、実施の形態１に係る制御装置１０及び無線ＧＷ２０のハードウェア構成を説明する。図２は、実施の形態１に係る制御装置１０及び無線ＧＷ２０のハードウェア構成例を示すブロック図である。
【００１８】
図２に示すように、制御装置１０は、ネットワークモジュール１１と、ビデオモジュール１２と、機器制御モジュール１３と、マイクロプロセッサ１４と、メモリ１５と、ストレージ１６とを有する。
【００１９】
ネットワークモジュール１１は、無線ＧＷ２０と通信するためのデバイスであり、有線ＬＡＮ（Local  Area  Network）等のネットワーク通信を制御する。ビデオモジュール１２は、各種情報の表示に関する制御を実行するためのデバイスである。機器制御モジュール１３は、制御システム１に含まれる照明機器や空調等の各機器の動作状態を制御するためのデバイスである。マイクロプロセッサ１４は、制御装置１０の動作を統括的に制御する中央処理装置であり、本実施の形態に係る各種機能を実現するための処理を行なう。
【００２０】
メモリ１５は、各種プログラムやデータを一時記憶するための記憶装置であり、マイクロプロセッサ１４によってプログラムが実行される際の作業領域として使用される。ストレージ１６は、マイクロプロセッサ１４が実行する各プログラムとその実行に利用されるデータ等を記憶するための記憶装置である。また、ストレージ１６は、制御システム１に含まれる灯具の総数や、灯具内に含まれるＬＥＤの本数、ＬＥＤ調光管３０の識別情報、ＬＥＤ調光管４０の識別情報等を予め保持していても良い。
【００２１】
また、図２に示すように、無線ＧＷ２０は、アンテナ２１と、アンテナＩ／Ｆ２２と、無線モジュール２３と、マイクロプロセッサ２４と、メモリ２５と、ネットワークモジュール２６とを有する。
【００２２】
無線モジュール２３は、無線通信を行なうためのデバイスである。例えば、無線モジュール２３は、アンテナＩ／Ｆ２２及びアンテナ２１を介して、アンテナ３１を有するＬＥＤ調光管３０や、アンテナ４１を有するＬＥＤ調光管４０等の外部装置との無線通信を実現する。マイクロプロセッサ２４は、無線ＧＷ２０の動作を統括的に制御する。メモリ２５は、各種プログラムやデータを一時記憶するための記憶装置である。ネットワークモジュール２６は、制御装置１０と通信するためのデバイスであり、有線ＬＡＮ等のネットワーク通信を制御する。
【００２３】
上記では、制御装置１０と無線ＧＷ２０とを別装置として説明した。本実施の形態では、無線ＧＷ２０の一部又は全ての機能を、制御装置１０に搭載した構成としても良い。同様に、制御装置１０の一部又は全ての機能を、無線ＧＷ２０に搭載した構成としても良い。
【００２４】
次に、図３Ａを用いて、実施の形態１に係る照度センサを有するＬＥＤ調光管３０のハードウェア構成を説明する。図３Ａは、実施の形態１に係る照度センサを有するＬＥＤ調光管３０のハードウェア構成例を示すブロック図である。
【００２５】
図３Ａに示すように、ＬＥＤ調光管３０は、アンテナ３１と、アンテナＩ／Ｆ３２と、無線モジュール３３と、マイコン３４と、ＬＥＤドライバ３５と、ＬＥＤ３６と、センサドライバ３７とを有する。また、ＬＥＤ調光管３０は、人感センサ３８ａと、温度センサ３８ｂと、湿度センサ３８ｃと、照度センサ３８ｄとを有する。
【００２６】
無線モジュール３３は、無線通信を行なうためのデバイスである。例えば、無線モジュール３３は、アンテナＩ／Ｆ３２及びアンテナ３１を介して、無線ＧＷ２０等の外部装置との無線通信を実現する。マイコン３４は、ＬＥＤ調光管３０の動作を統括的に制御する。例えば、マイコン３４は、制御装置１０から調光制御指示が受け付けられた場合に、ＬＥＤドライバ３５に対して調光制御の実施を依頼する。また、マイコン３４は、制御装置１０から各種センサに対するセンシング指示が受け付けられた場合に、センサドライバ３７に対してセンシングの実施を依頼する。また、マイコン３４は、各種センサからセンサデータを取得し、制御装置１０に対して送信するための制御を行なう。ＬＥＤドライバ３５は、マイコン３４からの指示に従って、ＬＥＤ３６の点灯や消灯、調光制御を実施する。
【００２７】
センサドライバ３７は、マイコン３４からの指示に従って、人感センサ３８ａ、温度センサ３８ｂ、湿度センサ３８ｃ、照度センサ３８ｄに対するセンシングを実現する。人感センサ３８ａは、赤外線センサ等により人の存在を検知するセンサである。温度センサ３８ｂは、熱型検出素子等を用いて、人や物の表面温度を検知するセンサである。湿度センサ３８ｃは、温度及び湿度及び湿度を検知するセンサである。湿度センサ３８ｃが検知する温度は、天井面の温湿度から水蒸気量への変換に使用され、この水蒸気量とサーモパイルによる床面の温度から床面の湿度が算出される。照度センサ３８ｄは、照度を検知するセンサである。なお、本実施の形態では、少なくとも、照度センサ３８ｄがＬＥＤ調光管３０に搭載されていれば良い。
【００２８】
次に、図３Ｂを用いて、実施の形態１に係る照度センサを有しないＬＥＤ調光管４０のハードウェア構成を説明する。図３Ｂは、実施の形態１に係る照度センサを有しないＬＥＤ調光管４０のハードウェア構成例を示すブロック図である。
【００２９】
図３Ｂに示すように、ＬＥＤ調光管４０は、アンテナ４１と、アンテナＩ／Ｆ４２と、無線モジュール４３と、マイコン４４と、ＬＥＤドライバ４５と、ＬＥＤ４６とを有する。
【００３０】
無線モジュール４３は、無線通信を行なうためのデバイスである。例えば、無線モジュール４３は、アンテナＩ／Ｆ４２及びアンテナ４１を介して、無線ＧＷ２０等の外部装置との無線通信を実現する。マイコン４４は、ＬＥＤ調光管４０の動作を統括的に制御する。例えば、マイコン４４は、制御装置１０から調光制御指示が受け付けられた場合に、ＬＥＤドライバ４５に対して調光制御の実施を依頼する。ＬＥＤドライバ４５は、マイコン４４からの指示に従って、ＬＥＤ４６の点灯や消灯、調光制御を実施する。
【００３１】
［機能構成］
次に、図４を用いて、実施の形態１に係る制御装置１０の機能構成を説明する。図４は、実施の形態１に係る制御装置１０の機能構成例を示すブロック図である。
【００３２】
図４に示すように、制御装置１０は、通信制御部１１０と、指示部１２０と、記憶部１３０と、取得部１４０と、グループ処理部１５０とを有する。上記各部は、これらの一部又は全てがソフトウェア（プログラム）で実現されても良いし、ハードウェア回路で実現されても良い。なお、記憶部１３０は、上述したストレージ１６に対応する。
【００３３】
指示部１２０は、ＬＥＤ調光管４０に対して調光制御を指示する。より具体的には、指示部１２０は、照度センサを有しないＬＥＤ調光管４０の識別情報をもとに、ＬＥＤ調光管４０の何れかに対して調光制御を指示する処理を、全てのＬＥＤ調光管４０に対して順次実行する。指示部１２０による調光制御指示は、通信制御部１１０を介して、ＬＥＤ調光管４０に対して送信される。例えば、指示部１２０による処理は、ＬＥＤ調光管３０及びＬＥＤ調光管４０の設置時等に、ＬＥＤ調光管３０及びＬＥＤ調光管４０の全てが消灯している状態において実行される。
【００３４】
記憶部１３０は、制御装置１０によって実行される処理に利用される各種データを記憶する。例えば、記憶部１３０は、制御システム１に含まれる灯具の総数、ＬＥＤ調光管３０の本数、ＬＥＤ調光管４０の本数、灯具内のＬＥＤの管本数、ＬＥＤ調光管３０の識別情報、ＬＥＤ調光管４０の識別情報を記憶する。
【００３５】
ここで、本実施の形態に係る環境について説明する。図５は、実施の形態１に係るＬＥＤ調光管３０及びＬＥＤ調光管４０の環境構成例を示す図である。例えば、図５に示すように、本実施の形態は、複数の照明機器（ＬＥＤ調光管３０及びＬＥＤ調光管４０）が設置されたオフィス（オフィスの居室）に適用され得る。各照明機器は何れかの灯具に含まれ、１の灯具に含まれる照明機器の数は統一されているものとする。図５に示す例では、１０個の灯具それぞれに、２本の照明機器が含まれている。
【００３６】
また、照明機器には、照度センサを有しないＬＥＤ調光管４０と、照度センサを有するＬＥＤ調光管３０とが存在する。図５に示す例では、１灯具内に、ＬＥＤ調光管３０とＬＥＤ調光管４０とがそれぞれ１本含まれている。また、照明機器には、各照明機器を識別する識別情報が割り当てられている。図５に示す例では、ある灯具に、識別情報が「Ａ−５」であるＬＥＤ調光管４０と、識別情報が「Ｂ−５」であるＬＥＤ調光管３０とが含まれている。ＬＥＤ調光管３０及びＬＥＤ調光管４０は、無線ＧＷ２０を介して、制御装置１０と通信可能に接続される。
【００３７】
制御装置１０には、図５に示すオフィスにおける灯具の総数や灯具内の管本数、ＬＥＤ調光管３０の識別情報（ＩＤ）、ＬＥＤ調光管４０の識別情報（ＩＤ）が予め保持されている。かかる識別情報（ＩＤ）は、例えば、ＭＡＣアドレスである。但し、制御装置１０は、このようなオフィスにおいて、灯具や照明機器の位置関係を把握しているわけではない。また、図５に示した例のように、識別情報（ＩＤ）は、図中の所定箇所から順番にナンバリングされていることを要しない。
【００３８】
図６は、実施の形態１に係る記憶部１３０に記憶される情報例を説明する図である。なお、図６に示す情報は、図５に示した環境に対応する。例えば、図６に示すように、記憶部１３０は、制御システム１に含まれる灯具の総数「１０」と、ＬＥＤ調光管３０の管本数「１０」と、ＬＥＤ調光管４０の管本数「１０」と、１灯具内に含まれるＬＥＤの管本数「２」とを記憶する。また、記憶部１３０は、ＬＥＤ調光管４０の識別情報である調光管ＩＤ「Ａ−１」、「Ａ−２」、・・・、「Ａ−１０」を記憶する。また、記憶部１３０は、ＬＥＤ調光管３０の識別情報である調光管ＩＤ「Ｂ−１」、「Ｂ−２」、・・・、「Ｂ−１０」を記憶する。なお、図６で説明した各情報は、記憶部１３０に記憶されていなくても良く、制御装置１０に接続される外部の記憶装置に記憶されていても良い。
【００３９】
図４の説明に戻り、取得部１４０は、照度センサを有するＬＥＤ調光管３０から照度データを取得する。より具体的には、取得部１４０は、指示部１２０による調光制御指示があるＬＥＤ調光管４０に対して行なわれた状態において、制御システム１に含まれる全てのＬＥＤ調光管３０に対して、照度のセンシング指示と、照度データの取得要求とを行なう。そして、取得部１４０は、全てのＬＥＤ調光管３０から照度データを取得する。取得部１４０によるセンシング指示及び照度データの取得要求は、通信制御部１１０を介して、全てのＬＥＤ調光管３０に対して送信される。また、取得部１４０による照度データの取得は、通信制御部１１０を介して、ＬＥＤ調光管３０から照度データが受信されることで実現する。
【００４０】
グループ処理部１５０は、照度データが所定閾値以上の値を示すＬＥＤ調光管３０の識別情報と、調光制御の指示によって発光したＬＥＤ調光管４０の識別情報とを、同一の灯具に含まれる照明機器のグループに分ける。より具体的には、グループ処理部１５０は、取得部１４０によって取得された全てのＬＥＤ調光管３０に対応する照度データのうち、所定閾値以上の値を示す照度データを検出する。そして、グループ処理部１５０は、検出した照度データに対応するＬＥＤ調光管３０と、指示部１２０の指示による調光制御により発光したＬＥＤ調光管４０とを、同一の灯具に含まれる照明機器として、調光管ＩＤを同一のグループにグルーピングする。グループ処理部１５０によってグルーピングされた情報は、記憶部１３０に登録される。
【００４１】
また、本実施の形態は、１灯具内に含まれるＬＥＤの管本数が「２」に限られるものではない。例えば、２本のＬＥＤ調光管３０と、１本のＬＥＤ調光管４０とが、１灯具内に含まれる場合もあるし、３本のＬＥＤ調光管３０と、１本のＬＥＤ調光管４０とが、１灯具内に含まれる場合も有り得る。
【００４２】
従って、グループ処理部１５０は、１の灯具に含まれる照明機器の数がＮ（Ｎは、２以上の自然数）である場合に、照度データが所定閾値以上であるＮ−１の数のＬＥＤ調光管３０と、ＬＥＤ調光管４０とを、同一の灯具に含まれる照明機器として、識別情報を同一のグループに分ける。例えば、グループ処理部１５０は、１灯具内に含まれるＬＥＤの管本数が「３」である場合に、取得部１４０によって取得された全てのＬＥＤ調光管３０に対応する照度データのうち、所定閾値以上でより高い値を示す２つの照度データを検出する。そして、グループ処理部１５０は、指示部１２０の指示による調光制御により発光したＬＥＤ調光管４０と、検出した照度データに対応する２本のＬＥＤ調光管３０とを、同一の灯具に含まれる照明機器として、調光管ＩＤを同一のグループにグルーピングする。
【００４３】
また、図４に示すように、ＬＥＤ調光管３０は、通信制御部３１０と、調光制御部３２０と、センサ制御部３３０とを有する。上記各部は、これらの一部又は全てがソフトウェア（プログラム）で実現されても良いし、ハードウェア回路で実現されても良い。
【００４４】
調光制御部３２０は、通信制御部３１０を介して、制御装置１０から調光制御指示が受け付けられた場合に、指示に従ってＬＥＤ３６の調光制御を実行する。なお、実施の形態１では、制御装置１０によるグルーピング処理の実行時に、ＬＥＤ調光管３０に対する調光制御指示は行なわれない。センサ制御部３３０は、通信制御部３１０を介して、制御装置１０からセンシング指示が受け付けられた場合に、指示に従って各種センサに対してセンシングの実施を依頼する。例えば、センサ制御部３３０は、制御装置１０から照度のセンシング指示と、照度データの取得要求とを受け付けた場合に、照度センサ３８ｄによるセンシングを制御し、照度センサ３８ｄから照度データを取得する。そして、センサ制御部３３０は、通信制御部３１０を介して、取得した照度データを制御装置１０に対して送信する。
【００４５】
また、図４に示すように、ＬＥＤ調光管４０は、通信制御部４１０と、調光制御部４２０とを有する。上記各部は、これらの一部又は全てがソフトウェア（プログラム）で実現されても良いし、ハードウェア回路で実現されても良い。
【００４６】
調光制御部４２０は、通信制御部３１０を介して、制御装置１０から調光制御指示が受け付けられた場合に、指示に従ってＬＥＤ４６の調光制御を実行する。実施の形態１では、制御装置１０によるグルーピング処理の実行時に、ＬＥＤ調光管４０に対する調光制御指示が行なわれる。
【００４７】
［調光管ＩＤのグルーピング］
次に、図７Ａ〜図７Ｃを用いて、実施の形態１に係る１の灯具に含まれる照明機器の管本数が２である場合のグルーピング処理を説明する。図７Ａ〜図７Ｃは、実施の形態１に係る１の灯具に含まれる照明機器の管本数が２である場合のグルーピング処理の例を説明する図である。
【００４８】
図７Ａ〜図７Ｃでは、各灯具に、ＬＥＤ調光管３０とＬＥＤ調光管４０とがそれぞれ１本ずつ含まれている場合を例に挙げる。また、図７Ａ〜図７Ｃに示す制御システム１には、ＬＥＤ調光管３０が９本（Ｂ−１〜Ｂ−９）、ＬＥＤ調光管４０が９本（Ａ−１〜Ａ−９）含まれる場合を例に挙げる。
【００４９】
図７Ａに示すように、記憶部１３０は、グループを識別する「グループＩＤ」、グループに属する照明機器の調光管ＩＤの一つを示す「登録ＩＤ（１）」、グループに属する照明機器の調光管ＩＤの一つを示す「登録ＩＤ（２）」の何れにも情報が記憶されていない状態である。制御装置１０は、調光管ＩＤが「Ａ−１」であるＬＥＤ調光管４０に対して調光制御を指示する。これにより、調光管ＩＤが「Ａ−１」であるＬＥＤ調光管４０は、調光制御を実施し、自身のＬＥＤ４６を発光させる。そして、制御装置１０は、照度センサを有するＬＥＤ調光管３０の全て（Ｂ−１〜Ｂ−９）に対してセンシング指示を行なう。これにより、全てのＬＥＤ調光管３０は、照度を検知し、照度データを制御装置１０に対して送信する。制御装置１０は、調光制御を指示したＬＥＤ調光管４０の調光管ＩＤ「Ａ−１」と、照度データが所定閾値以上でより高い値を示すＬＥＤ調光管３０の調光管ＩＤ「Ｂ−１」とを、同一の灯具に含まれる照明機器として、同一のグループに分ける。
【００５０】
図７Ｂに示すように、記憶部１３０には、グループＩＤ「Ｇ−１」と、登録ＩＤ（１）「Ａ−１」と、登録ＩＤ（２）「Ｂ−１」とが対応付けて記憶された状態となる。次に、制御装置１０は、調光管ＩＤが「Ａ−２」であるＬＥＤ調光管４０に対して調光制御を指示する。ここで、制御装置１０は調光管ＩＤが「Ａ−１」であるＬＥＤ調光管４０に対して消灯させるための制御指示を行ない、調光管ＩＤが「Ａ−１」であるＬＥＤ調光管４０は自身のＬＥＤ４６を消灯させる。調光管ＩＤが「Ａ−２」であるＬＥＤ調光管４０は、調光制御を実施し、自身のＬＥＤ４６を発光させる。そして、制御装置１０は、照度センサを有するＬＥＤ調光管３０の全て（Ｂ−１〜Ｂ−９）に対してセンシング指示を行なう。これにより、全てのＬＥＤ調光管３０は、照度を検知し、照度データを制御装置１０に対して送信する。制御装置１０は、調光制御を指示したＬＥＤ調光管４０の調光管ＩＤ「Ａ−２」と、照度データが所定閾値以上でより高い値を示すＬＥＤ調光管３０の調光管ＩＤ「Ｂ−２」とを、同一の灯具に含まれる照明機器として、同一のグループに分ける。
【００５１】
制御装置１０は、全てのＬＥＤ調光管４０に対して調光制御指示を順次行ない、その都度、全てのＬＥＤ調光管３０から照度データを取得し、グルーピング処理を実行する。これらの結果、図７Ｃに示すように、記憶部１３０は、グループＩＤ「Ｇ−１」〜「Ｇ−９」それぞれに、登録ＩＤ（１）「Ａ−１」〜「Ａ−９」それぞれと、登録ＩＤ（２）「Ｂ−１」〜「Ｂ−９」それぞれとが対応付けられて記憶された状態となる。
【００５２】
次に、図８Ａ〜図８Ｃを用いて、実施の形態１に係る１の灯具に含まれる照明機器の管本数が３である場合のグルーピング処理を説明する。図８Ａ〜図８Ｃは、実施の形態１に係る１の灯具に含まれる照明機器の管本数が「３」である場合のグルーピング処理の例を説明する図である。
【００５３】
図８Ａ〜図８Ｃでは、各灯具に、ＬＥＤ調光管３０が２本、ＬＥＤ調光管４０が１本含まれている場合を例に挙げる。また、図８Ａ〜図８Ｃに示す制御システム１には、ＬＥＤ調光管３０が８本（Ｂ−１〜Ｂ−８）、ＬＥＤ調光管４０が４本（Ａ−１〜Ａ−４）含まれる場合を例に挙げる。
【００５４】
図８Ａに示すように、記憶部１３０は、グループＩＤ、登録ＩＤ（１）、登録ＩＤ（２）、登録ＩＤ（３）の何れにも情報が記憶されていない状態である。制御装置１０は、調光管ＩＤが「Ａ−１」であるＬＥＤ調光管４０に対して調光制御を指示する。これにより、調光管ＩＤが「Ａ−１」であるＬＥＤ調光管４０は、調光制御を実施し、自身のＬＥＤ４６を発光させる。そして、制御装置１０は、照度センサを有するＬＥＤ調光管３０の全て（Ｂ−１〜Ｂ−８）に対してセンシング指示を行なう。これにより、全てのＬＥＤ調光管３０は、照度を検知し、照度データを制御装置１０に対して送信する。制御装置１０は、調光制御を指示したＬＥＤ調光管４０の調光管ＩＤ「Ａ−１」と、照度データが所定閾値以上でより高い値を示す２本のＬＥＤ調光管３０の調光管ＩＤ「Ｂ−１」、「Ｂ−２」とを、同一の灯具に含まれる照明機器として、同一のグループに分ける。
【００５５】
図８Ｂに示すように、記憶部１３０には、グループＩＤ「Ｇ−１」と、登録ＩＤ（１）「Ａ−１」と、登録ＩＤ（２）「Ｂ−１」と、登録ＩＤ（３）「Ｂ−２」とが対応付けて記憶された状態となる。次に、制御装置１０は、調光管ＩＤが「Ａ−２」であるＬＥＤ調光管４０に対して調光制御を指示する。ここで、制御装置１０は調光管ＩＤが「Ａ−１」であるＬＥＤ調光管４０に対して消灯させるための制御指示を行ない、調光管ＩＤ「Ａ−１」であるＬＥＤ調光管４０は自身のＬＥＤ４６を消灯させる。調光管ＩＤが「Ａ−２」であるＬＥＤ調光管４０は、調光制御を実施し、自身のＬＥＤ４６を発光させる。そして、制御装置１０は、照度センサを有するＬＥＤ調光管３０の全て（Ｂ−１〜Ｂ−８）に対してセンシング指示を行なう。これにより、全てのＬＥＤ調光管３０は、照度を検知し、照度データを制御装置１０に対して送信する。制御装置１０は、調光制御を指示したＬＥＤ調光管４０の調光管ＩＤ「Ａ−２」と、照度データが所定閾値以上でより高い値を示す２本のＬＥＤ調光管３０の調光管ＩＤ「Ｂ−３」、「Ｂ−４」とを、同一の灯具に含まれる照明機器として、同一のグループに分ける。
【００５６】
制御装置１０は、全てのＬＥＤ調光管４０に対して調光制御指示を順次行ない、その都度、全てのＬＥＤ調光管３０から照度データを取得し、グルーピング処理を実行する。これらの結果、図８Ｃに示すように、記憶部１３０は、グループＩＤ「Ｇ−１」〜「Ｇ−４」それぞれに、登録ＩＤ（Ａ）「Ａ−１」〜「Ａ−４」それぞれと、登録ＩＤ（２）「Ｂ−１」、「Ｂ−３」、「Ｂ−５」、「Ｂ−７」それぞれと、登録ＩＤ（３）「Ｂ−２」、「Ｂ−４」、「Ｂ−６」、「Ｂ−８」それぞれとが対応付けられて記憶された状態となる。
【００５７】
［グルーピング処理フロー］
次に、図９を用いて、実施の形態１に係るグルーピング処理の流れを説明する。図９は、実施の形態１に係るグルーピング処理の流れの例を示すフローチャートである。
【００５８】
図９に示すように、制御装置１０は、調光制御の内容を決定する（ステップＳ１０１）。例えば、制御装置１０は、制御システム１に含まれるＬＥＤ調光管４０の調光管ＩＤをもとに、調光制御を指示するＬＥＤ調光管４０を決定するとともに、その調光率を決定する。そして、制御装置１０は、照度センサを有しないＬＥＤ調光管４０に対して調光制御を指示し、照度センサを有するＬＥＤ調光管３０に対して照度センサによるセンシングを指示する（ステップＳ１０２）。これにより、ＬＥＤ調光管４０は、制御装置１０からの調光制御指示に従って調光制御を実施し、自身のＬＥＤ４６を発光させる（ステップＳ１０３）。また、ＬＥＤ調光管３０は、制御装置１０からのセンシング指示に従って照度センサ３８ｄによるセンシングを実施する（ステップＳ１０４）。
【００５９】
続いて、制御装置１０は、照度センサを有するＬＥＤ調光管３０全てに対して、照度データの取得要求を行なう（ステップＳ１０５）。これにより、ＬＥＤ調光管３０は、照度データを制御装置１０に対して応答する（ステップＳ１０６）。制御装置１０は、ＬＥＤ調光管３０から照度データを取得し（ステップＳ１０７）、全てのＬＥＤ調光管３０から照度データを取得したか否かを判定する（ステップＳ１０８）。このとき、制御装置１０は、全てのＬＥＤ調光管３０から照度データを取得していない場合に（ステップＳ１０８：Ｎｏ）、ステップＳ１０５の処理に戻り、照度データの取得要求を行なう。
【００６０】
一方、制御装置１０は、全てのＬＥＤ調光管３０から照度データを取得した場合に（ステップＳ１０８：Ｙｅｓ）、取得した照度データをもとに、所定閾値以上でより高い値を示すＬＥＤ調光管３０の調光管ＩＤを検出する（ステップＳ１０９）。そして、制御装置１０は、調光制御指示により発光しているＬＥＤ調光管４０の調光管ＩＤと、検出されたＬＥＤ調光管３０の調光管ＩＤとを、同一の灯具に含まれる照明機器としてグルーピングする（ステップＳ１１０）。その後、制御装置１０は、照度センサを有しないＬＥＤ調光管４０全てに対する調光制御指示が完了したか否かを判定する（ステップＳ１１１）。制御装置１０は、ＬＥＤ調光管４０全てに対する調光制御指示が完了していない場合に（ステップＳ１１１：Ｎｏ）、ステップＳ１０２の処理に戻り、残りのＬＥＤ調光管４０に対する調光制御指示を行なう。また、制御装置１０は、ＬＥＤ調光管４０全てに対する調光制御指示が完了している場合に（ステップＳ１１１：Ｙｅｓ）、処理を終了する。
【００６１】
［共通調光制御処理フロー］
次に、図１０を用いて、実施の形態１に係る共通調光制御処理の流れを説明する。図１０は、実施の形態１に係る共通調光制御処理の流れの例を示すフローチャートである。なお、共通調光制御処理とは、同一の灯具内の照明機器に共通の調光制御を適用することを指す。本実施の形態に係るグルーピング処理の実行後、ユーザは、全ての照明機器に対して調光制御の設定を行なうことなく、灯具ごとに設定を行なえば良い。
【００６２】
図１０に示すように、制御装置１０は、調光制御の内容を決定する（ステップＳ２０１）。例えば、ユーザは、制御装置１０を操作し、グルーピング処理によってグループ分けされた照明機器の情報をもとに、グループＩＤごとに、グループに含まれる照明機器の調光率を指定する。これにより、制御装置１０は、各グループに対する調光率の指定を受け付ける。そして、制御装置１０は、制御システム１に含まれるＬＥＤ調光管３０及びＬＥＤ調光管４０に対して調光制御を指示する（ステップＳ２０２）。これにより、ＬＥＤ調光管３０及びＬＥＤ調光管４０は、制御装置１０からの調光制御指示に従って調光制御を実施し、自身のＬＥＤ３６及びＬＥＤ４６を発光させる（ステップＳ２０３）。続いて、制御装置１０は、全てのグループに対する調光制御指示が完了したか否かを判定する（ステップＳ２０４）。このとき、制御装置１０は、全てのグループに対する調光制御指示が完了していない場合に（ステップＳ２０４：Ｎｏ）、ステップＳ２０２の処理に戻り、指示を完了していないＬＥＤ調光管３０及びＬＥＤ調光管４０に対する調光制御を指示する。一方、制御装置１０は、全てのグループに対する調光制御指示が完了した場合に（ステップＳ２０４：Ｙｅｓ）、処理を終了する。
【００６３】
［グルーピング後のシステム］
次に、図１１を用いて、グルーピング処理後のシステム適用について説明する。図１１は、グルーピング処理後のシステム適用例を説明する図である。
【００６４】
図１１に示すように、センサモジュールの一つであるサーモパイルセンサは、天井から床方向に向けて配置される。例えば、サーモパイルセンサは、床面を４×４のメッシュに分割した単位で表面温度を検知する。なお、メッシュを８×８や１６×１６等さらに細かく分割して、その単位で表面温度を検知することも可能である。サーモパイルセンサによる検知値（メッシュ毎の表面温度）は、無線通信により無線ＧＷ２０に転送され、有線ネットワークに接続された制御装置１０に送られる。これらにより、制御装置１０は、各メッシュの温度をアルゴリズム処理して、人の在・不在を判定することができる。
【００６５】
さらに、センサモジュールには、温度センサや湿度センサ、照度センサ等を搭載しても良く、各種センサによるセンシングデータは同様に、無線通信により無線ＧＷ２０に転送され、有線ネットワークに接続された制御装置１０に送られる。制御装置１０は、メッシュ毎の人の在・不在、各種センサによるセンシングデータを利用して、照明機器や空調の動作を制御するための指示を行なうことができる。このとき、制御装置１０は、照明機器の制御に関して、グルーピングされた情報をもとに調光制御指示を行なうことができる。
【００６６】
［実施の形態１による効果］
制御装置１０は、照度センサを有しないＬＥＤ調光管４０に対して調光制御を指示し、照度センサを有するＬＥＤ調光管３０から照度データを取得し、ＬＥＤ調光管４０の調光管ＩＤと、照度データが所定閾値以上でより高い値を示すＬＥＤ調光管３０の調光管ＩＤとを、同一の灯具に含まれる照明機器として、同一のグループに分ける。この結果、制御装置１０は、照明機器の設置時に実施される設定（照明機器のグルーピング）のための工数を削減することができる。
【００６７】
（実施の形態２）
上記実施の形態１では、灯具内にＬＥＤ調光管４０が１本だけ含まれる場合のグルーピング処理について説明した。かかるグルーピング処理は、灯具内にＬＥＤ調光管４０が複数含まれる場合にも実現することができる。実施の形態２では、灯具内にＬＥＤ調光管４０が複数含まれる場合について説明する。なお、実施の形態２では、実施の形態１に係る各装置と同様の構成については同一の符号を付し、その説明を省略する場合がある。また、実施の形態２に係る制御システム１のシステム構成は実施の形態１に係る構成と同様である。
【００６８】
［機能構成］
図１２を用いて、実施の形態２に係る制御装置１０ａの機能構成を説明する。図１２は、実施の形態１に係る制御装置１０ａの機能構成例を示すブロック図である。
【００６９】
図１２に示すように、制御装置１０ａは、通信制御部１１０と、指示部１２０と、記憶部１３０と、取得部１４０と、グループ処理部１５０ａとを有する。上記各部は、これらの一部又は全てがソフトウェア（プログラム）で実現されても良いし、ハードウェア回路で実現されても良い。
【００７０】
グループ処理部１５０ａは、同一の識別情報を含む異なるグループを、１のグループに統合する。より具体的には、グループ処理部１５０ａは、取得部１４０によって取得された全てのＬＥＤ調光管３０に対応する照度データのうち、所定閾値以上でより高い値を示す照度データを検出する。そして、グループ処理部１５０ａは、指示部１２０の指示による調光制御により発光したＬＥＤ調光管４０と、検出した照度データに対応するＬＥＤ調光管３０とを、同一の灯具に含まれる照明機器として、調光管ＩＤを同一のグループにグルーピングする。
【００７１】
ここで、グループ処理部１５０ａは、記憶部１３０に登録されたグループ情報を参照し、同一の調光管ＩＤが異なるグループに含まれているか否かを判定する。そして、グループ処理部１５０ａは、同一の調光管ＩＤを含む異なるグループを、１のグループに統合する。例えば、同一の調光管ＩＤが異なるグループに含まれる状況は、灯具内に、複数のＬＥＤ調光管４０が含まれる場合に起こり得る。
【００７２】
また、図１２に示すように、ＬＥＤ調光管３０は、通信制御部３１０と、調光制御部３２０と、センサ制御部３３０とを有する。上記各部は、これらの一部又は全てがソフトウェア（プログラム）で実現されても良いし、ハードウェア回路で実現されても良い。実施の形態２に係るＬＥＤ調光管３０の機能構成は、実施の形態１に係るＬＥＤ調光管３０の機能構成と同様である。
【００７３】
また、図１２に示すように、ＬＥＤ調光管４０は、通信制御部４１０と、調光制御部４２０とを有する。上記各部は、これらの一部又は全てがソフトウェア（プログラム）で実現されても良いし、ハードウェア回路で実現されても良い。実施の形態２に係るＬＥＤ調光管４０の機能構成は、実施の形態１に係るＬＥＤ調光管４０の機能構成と同様である。
【００７４】
［調光管ＩＤのグルーピング］
次に、図１３Ａ〜図１３Ｃを用いて、実施の形態２に係る同一の調光管ＩＤが異なるグループに跨って登録される場合のグルーピング処理を説明する。図１３Ａ〜図１３Ｃは、実施の形態２に係る同一の調光管ＩＤが異なるグループに跨って登録される場合のグルーピング処理の例を説明する図である。
【００７５】
図１３Ａ〜図１３Ｃでは、ある灯具に、ＬＥＤ調光管３０が１本、ＬＥＤ調光管４０が２本含まれ、その他の灯具に、ＬＥＤ調光管３０が２本、ＬＥＤ調光管４０が１本含まれている場合を例に挙げる。また、図１３Ａ〜図１３Ｃに示す制御システム１には、ＬＥＤ調光管３０が７本（Ｂ−１〜Ｂ−７）、ＬＥＤ調光管４０が５本（Ａ−１〜Ａ−５）含まれる場合を例に挙げる。
【００７６】
図１３Ａに示すように、記憶部１３０は、グループＩＤ、登録ＩＤ（１）、登録ＩＤ（２）、登録ＩＤ（３）の何れにも情報が記憶されていない状態である。制御装置１０ａは、調光管ＩＤが「Ａ−１」、「Ａ−２」、「Ａ−３」、「Ａ−４」、「Ａ−５」であるＬＥＤ調光管４０に対して調光制御を順次指示する。そして、制御装置１０ａは、各調光制御指示の際に、全てのＬＥＤ調光管３０から照度データを取得し、ＬＥＤ調光管４０の調光管ＩＤと、所定閾値以上でより高い値を示す２本のＬＥＤ調光管３０の調光管ＩＤとのグルーピング処理を実行する。
【００７７】
これらの結果、図１３Ｂに示すように、制御装置１０ａは、グループＩＤ「Ｇ−１」と、登録ＩＤ（１）「Ａ−１」と、登録ＩＤ（２）「Ｂ−１」と、登録ＩＤ（３）「Ｂ−２」とを対応付けて記憶部１３０に登録する。また、制御装置１０ａは、グループＩＤ「Ｇ−２」と、登録ＩＤ（１）「Ａ−２」と、登録ＩＤ（２）「Ｂ−３」とを対応付けて記憶部１３０に登録する。また、制御装置１０ａは、グループＩＤ「Ｇ−３」と、登録ＩＤ（１）「Ａ−３」と、登録ＩＤ（２）「Ｂ−３」とを対応付けて記憶部１３０に登録する。また、制御装置１０ａは、グループＩＤ「Ｇ−４」と、登録ＩＤ（１）「Ａ−４」と、登録ＩＤ（２）「Ｂ−４」と、登録ＩＤ（３）「Ｂ−５」とを対応付けて記憶部１３０に登録する。また、制御装置１０ａは、グループＩＤ「Ｇ−５」と、登録ＩＤ（１）「Ａ−５」と、登録ＩＤ（２）「Ｂ−６」と、登録ＩＤ（３）「Ｂ−７」とを対応付けて記憶部１３０に登録する。
【００７８】
ここで、グループＩＤが「Ｇ−２」、「Ｇ−３」であるグループには、１灯具内の管本数が３であるにもかかわらず、２つの調光管ＩＤしか登録されていない。これは、所定閾値以上である照度データを対象にグルーピング処理を行なっているためである。つまり、調光管ＩＤが「Ａ−２」であるＬＥＤ調光管４０が発光したときに、所定閾値以上の照度でより高い値を示す照度データは、調光管ＩＤが「Ｂ−３」であるＬＥＤ調光管３０から得られた照度データのみとなる。同様に、調光管ＩＤが「Ａ−３」であるＬＥＤ調光管４０が発光したときに、所定閾値以上の照度でより高い値を示す照度データは、調光管ＩＤが「Ｂ−３」であるＬＥＤ調光管３０から得られた照度データのみとなる。
【００７９】
そこで、制御装置１０ａは、記憶部１３０を参照し、同一の調光管ＩＤを含む異なるグループがあれば、これらを１のグループに統合する。すなわち、図１３Ｃに示すように、制御装置１０ａは、グループＩＤが「Ｇ−２」、「Ｇ−３」である異なるグループにおいて、同一の調光管ＩＤ「Ｂ−３」が含まれているため、これらのグループを新たなグループＩＤ「Ｇ−６」として統合する。例えば、制御装置１０ａは、グループＩＤ「Ｇ−２」、「Ｇ−３」の情報を記憶部１３０から削除し、グループＩＤ「Ｇ−６」と、登録ＩＤ（１）「Ａ−２」と、登録ＩＤ（２）「Ａ−３」と、登録ＩＤ（３）「Ｂ−３」とを対応付けて記憶部１３０に登録する。
【００８０】
［グルーピング処理フロー］
次に、図１４を用いて、実施の形態２に係るグルーピング処理の流れを説明する。図１４は、実施の形態２に係るグルーピング処理の流れの例を示すフローチャートである。なお、図１４に示す「Ａ」は、実施の形態１に係るグルーピング処理のフローチャート（図９参照）の続きであることを意味する。
【００８１】
図１４に示すように、制御装置１０ａは、ＬＥＤ調光管４０全てに対する調光制御指示が完了している場合に（ステップＳ１１１：Ｙｅｓ）、記憶部１３０を参照し、分けられたグループ間で同一の調光管ＩＤが存在するか否かを判定する（ステップＳ１１２）。このとき、制御装置１０ａは、グループ間で同一の調光管ＩＤが存在する場合に（ステップＳ１１２：Ｙｅｓ）、これらのグループを１のグループに統合する（ステップＳ１１３）。一方、制御装置１０ａは、グループ間で同一の調光管ＩＤが存在しない場合に（ステップＳ１１２：Ｎｏ）、処理を終了する。
【００８２】
［実施の形態２による効果］
制御装置１０ａは、同一の調光管ＩＤを含む異なるグループを、１のグループに統合するので、同一の灯具に含まれる照明機器が異なるグループに属することを防止し、より高精度なグルーピングを実現することができる。
【００８３】
（実施の形態３）
上記実施の形態１や２では、灯具内にＬＥＤ調光管３０とＬＥＤ調光管４０とが少なくとも１本含まれる場合のグルーピング処理について説明した。かかるグルーピング処理は、灯具内の全てがＬＥＤ調光管３０である場合にも実現することができる。実施の形態３では、灯具内の全てがＬＥＤ調光管３０である場合について説明する。なお、実施の形態３では、上記実施の形態に係る各装置と同様の構成については同一の符号を付し、その説明を省略する場合がある。また、実施の形態３に係る制御システム１のシステム構成は実施の形態１に係る構成と同様である。
【００８４】
［機能構成］
図１５を用いて、実施の形態３に係る制御装置１０ｂの機能構成を説明する。図１５は、実施の形態３に係る制御装置１０ｂの機能構成例を示すブロック図である。
【００８５】
図１５に示すように、制御装置１０ｂは、通信制御部１１０と、指示部１２０ｂと、記憶部１３０と、取得部１４０ｂと、グループ処理部１５０ｂとを有する。上記各部は、これらの一部又は全てがソフトウェア（プログラム）で実現されても良いし、ハードウェア回路で実現されても良い。
【００８６】
指示部１２０ｂは、グループに属していないＬＥＤ調光管３０に対して調光制御を指示する。より具体的には、指示部１２０ｂは、グルーピング処理後に、記憶部１３０を参照し、グループに属していないＬＥＤ調光管３０が存在するか否かを判定する。そして、指示部１２０ｂは、グループに属していないＬＥＤ調光管３０が存在する場合に、グループに属していないＬＥＤ調光管３０の何れかに対して調光制御を指示する処理を、グループに属していない全てのＬＥＤ調光管３０に対して順次実行する。例えば、指示部１２０ｂによる処理は、上記実施の形態２で説明したグループ処理部１５０ａによるグルーピング処理の実行後に行なわれる。
【００８７】
取得部１４０ｂは、調光制御の指示によって発光したＬＥＤ調光管３０を除く、グループに属していないＬＥＤ調光管３０から照度データを取得する。より具体的には、取得部１４０ｂは、指示部１２０ｂによる調光制御指示がグループに属していないあるＬＥＤ調光管３０に対して行なわれた状態において、調光制御指示されたＬＥＤ調光管３０を除く、グループに属していないＬＥＤ調光管３０に対して、照度のセンシング指示と、照度データの取得要求とを行なう。そして、取得部１４０ｂは、調光制御指示されたＬＥＤ調光管３０を除く、グループに属していないＬＥＤ調光管３０から照度データを取得する。
【００８８】
グループ処理部１５０ｂは、調光制御の指示によって発光したＬＥＤ調光管３０と、照度データが所定閾値以上でより高い値を示すＬＥＤ調光管３０とを、同一の灯具に含まれる照明機器として、調光管ＩＤを同一のグループに分ける。また、グループ処理部１５０ｂは、同一の調光管ＩＤを含む異なるグループを、１のグループに統合する。より具体的には、グループ処理部１５０ｂは、取得部１４０ｂによって取得されたＬＥＤ調光管３０に対応する照度データのうち、所定閾値以上でより高い値を示す照度データを検出する。そして、グループ処理部１５０ｂは、指示部１２０ｂの指示による調光制御により発光したＬＥＤ調光管３０と、検出した照度データに対応するＬＥＤ調光管３０とを、同一の灯具に含まれる照明機器として、調光管ＩＤを同一のグループにグルーピングする。
【００８９】
ここで、グループ処理部１５０ｂは、記憶部１３０に登録されたグループ情報を参照し、同一の調光管ＩＤが異なるグループに含まれているか否かを判定する。そして、グループ処理部１５０ｂは、同一の調光管ＩＤを含む異なるグループを、１のグループに統合する。例えば、同一の調光管ＩＤが異なるグループに含まれる状況は、１灯具内の全てが照度センサを有するＬＥＤ調光管３０である場合に起こり得る。
【００９０】
また、図１５に示すように、ＬＥＤ調光管３０は、通信制御部３１０と、調光制御部３２０と、センサ制御部３３０とを有する。上記各部は、これらの一部又は全てがソフトウェア（プログラム）で実現されても良いし、ハードウェア回路で実現されても良い。実施の形態３に係るＬＥＤ調光管３０の機能構成は、実施の形態１や２に係るＬＥＤ調光管３０の機能構成と同様である。但し、実施の形態３では、制御装置１０ｂによるグルーピング処理の実行時に、ＬＥＤ調光管３０に対する調光制御指示が行なわれる。このため、実施の形態３に係るＬＥＤ調光管３０は、「第１の照明機器」と「第２の照明機器」との両方に対応する。つまり、実施の形態３に係るＬＥＤ調光管３０は、調光制御が指示される場合は「第１の照明機器」に対応し、照度データの取得要求が行なわれる場合は「第２の照明機器」に対応する。
【００９１】
また、図１５に示すように、ＬＥＤ調光管４０は、通信制御部４１０と、調光制御部４２０とを有する。上記各部は、これらの一部又は全てがソフトウェア（プログラム）で実現されても良いし、ハードウェア回路で実現されても良い。実施の形態３に係るＬＥＤ調光管４０の機能構成は、実施の形態１や２に係るＬＥＤ調光管４０の機能構成と同様である。
【００９２】
［調光管ＩＤのグルーピング］
次に、図１６Ａ〜図１６Ｆを用いて、実施の形態３に係る１灯具内の全てが照度センサを有するＬＥＤ調光管３０である場合のグルーピング処理を説明する。図１６Ａ〜図１６Ｆは、実施の形態３に係る１灯具内の全てが照度センサを有するＬＥＤ調光管３０である場合のグルーピング処理の例を説明する図である。
【００９３】
図１６Ａ〜図１６Ｆでは、ある灯具に、ＬＥＤ調光管３０が１本、ＬＥＤ調光管４０が２本含まれ、他のある灯具に、ＬＥＤ調光管３０が３本含まれ、その他の灯具に、ＬＥＤ調光管３０が２本、ＬＥＤ調光管４０が１本含まれている場合を例に挙げる。また、図１６Ａ〜図１６Ｆに示す制御システム１には、ＬＥＤ調光管３０が８本（Ｂ−１〜Ｂ−８）、ＬＥＤ調光管４０が４本（Ａ−１〜Ａ−４）含まれる場合を例に挙げる。
【００９４】
図１６Ａに示すように、記憶部１３０は、グループＩＤ、登録ＩＤ（１）、登録ＩＤ（２）、登録ＩＤ（３）の何れにも情報が記憶されていない状態である。制御装置１０ｂは、調光管ＩＤが「Ａ−１」、「Ａ−２」、「Ａ−３」、「Ａ−４」であるＬＥＤ調光管４０に対して調光制御を順次指示する。そして、制御装置１０ｂは、各調光制御指示の際に、全てのＬＥＤ調光管３０から照度データを取得し、ＬＥＤ調光管４０の調光管ＩＤと、所定閾値以上でより高い値を示す２本のＬＥＤ調光管３０の調光管ＩＤとのグルーピング処理を実行する。
【００９５】
これらの結果、図１６Ｂに示すように、制御装置１０ｂは、グループＩＤ「Ｇ−１」と、登録ＩＤ（１）「Ａ−１」と、登録ＩＤ（２）「Ｂ−１」と、登録ＩＤ（３）「Ｂ−２」とを対応付けて記憶部１３０に登録する。また、制御装置１０ｂは、グループＩＤ「Ｇ−５」と、登録ＩＤ（１）「Ａ−２」と、登録ＩＤ（２）「Ａ−３」と、登録ＩＤ（３）「Ｂ−３」とを対応付けて記憶部１３０に登録する。また、制御装置１０ｂは、グループＩＤ「Ｇ−４」と、登録ＩＤ（１）「Ａ−４」と、登録ＩＤ（２）「Ｂ−４」と、登録ＩＤ（３）「Ｂ−５」とを対応付けて記憶部１３０に登録する。なお、グループＩＤが「Ｇ−５」であるグループは、調光管ＩＤ「Ａ−２」及び「Ｂ−３」のグループと、調光管ＩＤ「Ａ−３」及び「Ｂ−３」のグループとの統合によって登録されたグループである。
【００９６】
ここで、制御装置１０ｂは、記憶部１３０を参照して、調光管ＩＤが「Ｂ−６」、「Ｂ−７」、「Ｂ−８」である、照度センサを有するＬＥＤ調光管３０が何れのグループにも属していないことを認識する。そして、図１６Ｃに示すように、制御装置１０ｂは、調光管ＩＤが「Ｂ−６」であるＬＥＤ調光管３０に対して、調光制御指示を行なう。続いて、制御装置１０ｂは、調光管ＩＤが「Ｂ−７」、「Ｂ−８」であるＬＥＤ調光管３０に対して、センシング指示を行なう。これにより、調光管ＩＤが「Ｂ−７」、「Ｂ−８」であるＬＥＤ調光管３０は、照度を検知し、照度データを制御装置１０ｂに対して送信する。制御装置１０ｂは、調光制御を指示したＬＥＤ調光管３０の調光管ＩＤ「Ｂ−６」と、照度データが所定閾値以上でより高い値を示す２本のＬＥＤ調光管３０の調光管ＩＤ「Ｂ−７」、「Ｂ−８」とを、同一の灯具に含まれる照明機器として、同一のグループ（グループＩＤ「Ｇ−６」）に分ける。
【００９７】
その後、図１６Ｄに示すように、制御装置１０ｂは、調光管ＩＤが「Ｂ−７」であるＬＥＤ調光管３０に対して、調光制御指示を行なう。続いて、制御装置１０ｂは、調光管ＩＤが「Ｂ−６」、「Ｂ−８」であるＬＥＤ調光管３０に対して、センシング指示を行なう。これにより、調光管ＩＤが「Ｂ−６」、「Ｂ−８」であるＬＥＤ調光管３０は、照度を検知し、照度データを制御装置１０ｂに対して送信する。制御装置１０ｂは、調光制御を指示したＬＥＤ調光管３０の調光管ＩＤ「Ｂ−７」と、照度データが所定閾値以上でより高い値を示す２本のＬＥＤ調光管３０の調光管ＩＤ「Ｂ−６」、「Ｂ−８」とを、同一の灯具に含まれる照明機器として、同一のグループ（グループＩＤ「Ｇ−７」）に分ける。
【００９８】
そして、図１６Ｅに示すように、制御装置１０ｂは、調光管ＩＤが「Ｂ−８」であるＬＥＤ調光管３０に対して、調光制御指示を行なう。続いて、制御装置１０ｂは、調光管ＩＤが「Ｂ−６」、「Ｂ−７」であるＬＥＤ調光管３０に対して、センシング指示を行なう。これにより、調光管ＩＤが「Ｂ−６」、「Ｂ−７」であるＬＥＤ調光管３０は、照度を検知し、照度データを制御装置１０ｂに対して送信する。制御装置１０ｂは、調光制御を指示したＬＥＤ調光管３０の調光管ＩＤ「Ｂ−８」と、照度データが所定閾値以上でより高い値を示す２本のＬＥＤ調光管３０の調光管ＩＤ「Ｂ−６」、「Ｂ−７」とを、同一の灯具に含まれる照明機器として、同一のグループ（グループＩＤ「Ｇ−８」）に分ける。
【００９９】
グループに属していないＬＥＤ調光管３０全てに対する調光制御指示が完了すると、制御装置１０ｂは、記憶部１３０を参照し、同一の調光管ＩＤが異なるグループに含まれているか否かを判定する。図１６Ｅに示すように、グループＩＤが「Ｇ−６」、「Ｇ−７」、「Ｇ−８」であるグループには、同一の調光管ＩＤが含まれている。このため、図１６Ｆに示すように、制御装置１０ｂは、グループＩＤが「Ｇ−６」、「Ｇ−７」、「Ｇ−８」である異なるグループにおいて、同一の調光管ＩＤ「Ｂ−６」、「Ｂ−７」、「Ｂ−８」が含まれているため、これらのグループを新たなグループＩＤ「Ｇ−９」として統合する。例えば、制御装置１０ｂは、グループＩＤ「Ｇ−６」、「Ｇ−７」、「Ｇ−８」の情報を記憶部１３０から削除し、グループＩＤ「Ｇ−９」と、登録ＩＤ（１）「Ｂ−６」と、登録ＩＤ（２）「Ｂ−７」と、登録ＩＤ（３）「Ｂ−８」とを対応付けて記憶部１３０に登録する。
【０１００】
［グルーピング処理フロー］
次に、図１７を用いて、実施の形態３に係るグルーピング処理の流れを説明する。図１７は、実施の形態３に係るグルーピング処理の流れの例を示すフローチャートである。なお、図１７に示す「Ｂ」は、実施の形態２に係るグルーピング処理のフローチャート（図１４参照）の続きであることを意味する。
【０１０１】
図１７に示すように、制御装置１０ｂは、記憶部１３０を参照し、グループに属していないＬＥＤ調光管３０が存在するか否かを判定する（ステップＳ１１４）。このとき、制御装置１０ｂは、グループに属していないＬＥＤ調光管３０が存在する場合に（ステップＳ１１４：Ｙｅｓ）、調光制御の内容を決定する（ステップＳ１１５）。例えば、制御装置１０ｂは、グループに属していないＬＥＤ調光管３０の調光管ＩＤをもとに、調光制御を指示するＬＥＤ調光管３０を決定するとともに、その調光率を決定する。一方、制御装置１０ｂは、グループに属していないＬＥＤ調光管３０が存在しない場合に（ステップＳ１１４：Ｎｏ）、処理を終了する。
【０１０２】
そして、制御装置１０ｂは、ＬＥＤ調光管３０に対して調光制御を指示し、グループに属していない他のＬＥＤ調光管３０に対して照度センサによるセンシングを指示する（ステップＳ１１６）。これにより、ＬＥＤ調光管３０は、制御装置１０ｂからの調光制御指示に従って調光制御を実施し、自身のＬＥＤ３６を発光させる（ステップＳ１１７）。また、他のＬＥＤ調光管３０は、制御装置１０ｂからのセンシング指示に従って照度センサ３８ｄによるセンシングを実施する。
【０１０３】
続いて、制御装置１０ｂは、他のＬＥＤ調光管３０全てに対して、照度データの取得要求を行なう（ステップＳ１１８）。これにより、他のＬＥＤ調光管３０は、照度データを制御装置１０ｂに対して応答する（ステップＳ１１９）。制御装置１０ｂは、他のＬＥＤ調光管３０から照度データを取得し（ステップＳ１２０）、他のＬＥＤ調光管３０全てから照度データを取得したか否かを判定する（ステップＳ１２１）。このとき、制御装置１０ｂは、他のＬＥＤ調光管３０全てから照度データを取得していない場合に（ステップＳ１２１：Ｎｏ）、ステップＳ１１８の処理に戻り、照度データの取得要求を行なう。
【０１０４】
一方、制御装置１０ｂは、他のＬＥＤ調光管３０全てから照度データを取得した場合に（ステップＳ１２１：Ｙｅｓ）、取得した照度データをもとに、所定閾値以上でより高い値を示すＬＥＤ調光管３０の調光管ＩＤを検出する（ステップＳ１２２）。そして、制御装置１０ｂは、調光制御指示により発光しているＬＥＤ調光管３０の調光管ＩＤと、検出されたＬＥＤ調光管３０の調光管ＩＤとを、同一の灯具に含まれる照明機器としてグルーピングする（ステップＳ１２３）。その後、制御装置１０ｂは、グループに属していないＬＥＤ調光管３０全てに対する調光制御指示が完了したか否かを判定する（ステップＳ１２４）。制御装置１０ｂは、グループに属していないＬＥＤ調光管３０全てに対する調光制御指示が完了していない場合に（ステップＳ１２４：Ｎｏ）、ステップＳ１１６の処理に戻り、残りのＬＥＤ調光管３０に対する調光制御指示を行なう。一方、制御装置１０ｂは、グループに属していないＬＥＤ調光管３０全てに対する調光制御指示が完了している場合に（ステップＳ１２４：Ｙｅｓ）、同一の調光管ＩＤが存在するグループを、１のグループに統合する（ステップＳ１２５）。
【０１０５】
［実施の形態３による効果］
制御装置１０ｂは、グループに属していないＬＥＤ調光管３０に対して調光制御を指示し、調光を指示したＬＥＤ調光管３０を除く、グループに属していない他のＬＥＤ調光管３０から照度データを取得し、調光制御を指示したＬＥＤ調光管３０の調光管ＩＤと、照度データがより高い値を示すＬＥＤ調光管３０の調光管ＩＤとを、同一の灯具に含まれる照明機器として同一のグループに分け、同一の調光管ＩＤを含む異なるグループを、１のグループに統合する。この結果、制御装置１０ｂは、灯具内の全てが照度センサを有するＬＥＤ調光管３０であっても、好適なグルーピングを実現することができる。
【０１０６】
（実施の形態４）
上記実施の形態１〜３では、灯具内に含まれる照明機器に、少なくとも照度センサを有するＬＥＤ調光管３０が存在する場合のグルーピング処理を説明した。かかるグルーピング処理は、灯具内の全てがＬＥＤ調光管４０である場合にも実現することができる。実施の形態４では、灯具内の全てがＬＥＤ調光管４０である場合について説明する。なお、実施の形態４では、上記実施の形態に係る各装置と同様の構成については同一の符号を付し、その説明を省略する場合がある。また、実施の形態４に係る制御システム１のシステム構成は実施の形態１に係る構成と同様である。
【０１０７】
［機能構成］
図１８を用いて、実施の形態４に係る制御装置１０ｃの機能構成を説明する。図１８は、実施の形態４に係る制御装置１０ｃの機能構成例を示すブロック図である。
【０１０８】
図１８に示すように、制御装置１０ｃは、通信制御部１１０と、指示部１２０ｂと、記憶部１３０と、取得部１４０ｂと、グループ処理部１５０ｃとを有する。上記各部は、これらの一部又は全てがソフトウェア（プログラム）で実現されても良いし、ハードウェア回路で実現されても良い。
【０１０９】
グループ処理部１５０ｃは、グループに属していない照明機器の識別情報を、例外として扱う照明機器のグループに分ける。より具体的には、グループ処理部１５０ｃは、記憶部１３０を参照し、グループに属していないＬＥＤ調光管３０やＬＥＤ調光管４０が存在するか否かを判定する。そして、グループ処理部１５０ｃは、グループに属していないＬＥＤ調光管３０やＬＥＤ調光管４０を、例外グループとして、これらの調光管ＩＤを同一のグループに分ける。ここで、例外グループには、１灯具内に含まれる管本数よりも多い数の調光管ＩＤが登録されても良い。一つの様態として、実施の形態４に係るグルーピング処理は、実施の形態１〜３で説明したグルーピング処理の実行後に行なわれる。
【０１１０】
また、図１８に示すように、ＬＥＤ調光管３０は、通信制御部３１０と、調光制御部３２０と、センサ制御部３３０とを有する。上記各部は、これらの一部又は全てがソフトウェア（プログラム）で実現されても良いし、ハードウェア回路で実現されても良い。実施の形態４に係るＬＥＤ調光管３０の機能構成は、実施の形態１〜３に係るＬＥＤ調光管３０の機能構成と同様である。
【０１１１】
また、図１８に示すように、ＬＥＤ調光管４０は、通信制御部４１０と、調光制御部４２０とを有する。上記各部は、これらの一部又は全てがソフトウェア（プログラム）で実現されても良いし、ハードウェア回路で実現されても良い。実施の形態４に係るＬＥＤ調光管４０の機能構成は、実施の形態１〜３に係るＬＥＤ調光管４０の機能構成と同様である。
【０１１２】
［調光管ＩＤのグルーピング］
次に、図１９Ａ〜図１９Ｃを用いて、実施の形態４に係る１灯具内の全てが照度センサを有しないＬＥＤ調光管４０である場合のグルーピング処理を説明する。図１９Ａ〜図１９Ｃは、実施の形態４に係る１灯具内の全てが照度センサを有しないＬＥＤ調光管４０である場合のグルーピング処理の例を説明する図である。
【０１１３】
図１９Ａ〜図１９Ｃでは、ある灯具に、ＬＥＤ調光管４０が３本含まれ、他のある灯具に、ＬＥＤ調光管３０が１本、ＬＥＤ調光管４０が２本含まれ、他のある灯具に、ＬＥＤ調光管３０が２本、ＬＥＤ調光管４０が１本含まれ、他のある灯具に、ＬＥＤ調光管３０が３本含まれている場合を例に挙げる。また、図１９Ａ〜図１９Ｃに示す制御システム１には、ＬＥＤ調光管３０が６本（Ｂ−１〜Ｂ−６）、ＬＥＤ調光管４０が６本（Ａ−１〜Ａ−６）含まれる場合を例に挙げる。
【０１１４】
図１９Ａに示すように、記憶部１３０は、グループＩＤ、登録ＩＤ（１）、登録ＩＤ（２）、登録ＩＤ（３）の何れにも情報が記憶されていない状態である。制御装置１０ｃは、調光管ＩＤが「Ａ−１」、「Ａ−２」、「Ａ−３」、「Ａ−４」、「Ａ−５」、「Ａ−６」であるＬＥＤ調光管４０に対して調光制御を順次指示する。そして、制御装置１０ｃは、各調光制御指示の際に、全てのＬＥＤ調光管３０から照度データを取得し、ＬＥＤ調光管４０の調光管ＩＤと、所定閾値以上でより高い値を示す２本のＬＥＤ調光管３０の調光管ＩＤとのグルーピング処理を実行する。
【０１１５】
また、制御装置１０ｃは、記憶部１３０を参照し、同一の調光管ＩＤを含む異なるグループがあれば、これらを１のグループに統合する。また、制御装置１０ｃは、記憶部１３０を参照し、何れのグループにも属していない照度センサを有するＬＥＤ調光管３０が存在すれば、これらのＬＥＤ調光管３０に対して調光制御を順次指示し、調光制御を指示したＬＥＤ調光管３０の調光管ＩＤと、照度データが所定閾値以上でより高い値を示す２本のＬＥＤ調光管３０の調光管ＩＤとのグルーピング処理を実行する。ここで、制御装置１０ｃは、同一の調光管ＩＤを含む異なるグループがあれば、これらを１のグループに統合する。
【０１１６】
これらの結果、図１９Ｂに示すように、記憶部１３０には、グループＩＤ「Ｇ−４」と、登録ＩＤ（１）「Ａ−４」と、登録ＩＤ（２）「Ａ−５」と、登録ＩＤ（３）「Ｂ−１」とが対応付けられて登録される。また、記憶部１３０には、グループＩＤ「Ｇ−３」と、登録ＩＤ（１）「Ａ−６」と、登録ＩＤ（２）「Ｂ−２」と、登録ＩＤ（３）「Ｂ−３」とが対応付けられて登録される。また、記憶部１３０には、グループＩＤ「Ｇ−８」と、登録ＩＤ（１）「Ｂ−４」と、登録ＩＤ（２）「Ｂ−５」と、登録ＩＤ（３）「Ｂ−６」とが対応付けられて登録される。
【０１１７】
ここで、図１９Ｃに示すように、制御装置１０ｃは、記憶部１３０を参照して、何れのグループにも属していない調光管ＩＤが存在する場合に、これらの調光管ＩＤを例外グループとして登録する。例えば、制御装置１０ｃは、調光管ＩＤが「Ａ−１」、「Ａ−２」、「Ａ−３」であるＬＥＤ調光管４０が何れのグループにも属していないため、これらを例外グループとして、同一のグループ（グループＩＤ「Ｇ−９」）に分ける。
【０１１８】
［グルーピング処理フロー］
次に、図２０を用いて、実施の形態４に係るグルーピング処理の流れを説明する。図２０は、実施の形態４に係るグルーピング処理の流れの例を示すフローチャートである。なお、図２０に示す「Ｃ」は、実施の形態３に係るグルーピング処理のフローチャート（図１７参照）の続きであることを意味する。
【０１１９】
図２０に示すように、制御装置１０ｃは、記憶部１３０を参照し、何れのグループにも属していないＬＥＤ調光管３０やＬＥＤ調光管４０が存在するか否かを判定する（ステップＳ１２６）。このとき、制御装置１０ｃは、何れのグループにも属していないＬＥＤ調光管３０やＬＥＤ調光管４０が存在する場合に（ステップＳ１２６：Ｙｅｓ）、これらの調光管ＩＤを、例外グループとして同一のグループにグルーピングする（ステップＳ１２７）。一方、制御装置１０ｃは、何れのグループにも属していないＬＥＤ調光管３０やＬＥＤ調光管４０が存在しない場合に（ステップＳ１２６：Ｎｏ）、処理を終了する。
【０１２０】
［実施の形態４による効果］
制御装置１０ｃは、グルーピングされていないＬＥＤ調光管３０及びＬＥＤ調光管４０を、例外グループとして、これらの調光管ＩＤを同一のグループに分けるので、制御システム１に含まれる照明機器全てを好適にグルーピングすることができる。
【０１２１】
（実施の形態５）
さて、これまで本発明に係る制御システム１の実施の形態について説明したが、上述した実施の形態以外にも種々の異なる形態にて実施されて良いものである。そこで、（１）調光管ＩＤの不整合、（２）構成、（３）プログラム、について異なる実施の形態を説明する。
【０１２２】
（１）調光管ＩＤの不整合
上記実施の形態では、１灯具内に含まれるＬＥＤ調光管３０及びＬＥＤ調光管４０の内訳が異なる状況において、グルーピング処理を実行する場合を説明した。かかるグルーピング処理では、照度センサ３８ｄの誤検知によってグループ間の調光管ＩＤに不整合が生じる場合が有り得る。例えば、周囲環境の外的要因により、実際には同一の灯具に含まれないＬＥＤ調光管３０の照度データがより高い値を示すものとなり、グルーピングされる可能性がある。そこで、グループ間の調光管ＩＤに不整合が生じた場合には、該調光管ＩＤを含む対象のグループを削除する。より具体的には、グループ処理部１５０は、記憶部１３０を参照し、グループ間で不整合が生じる調光管ＩＤが存在する場合に、対象のグループを削除する。
【０１２３】
図２１は、グループ分けされた調光管ＩＤに不整合が生じた場合のグルーピング処理の例を説明する図である。図２１に示すように、グループＩＤが「Ｇ−２」、「Ｇ−３」であるグループには、調光管ＩＤが「Ｂ−５」が含まれる。ここで、これらのグループを統合した場合は、新たなグループに５つの調光管ＩＤが含まれることになり、１灯具内の管本数「３」に対して不整合が生じる。そこで、グループ処理部１５０は、不整合が生じているこれらのグループを削除する。例えば、不整合が生じたことによりグループを削除する処理は、例外グループに分ける処理を実行するよりも前に行なわれる。これにより、削除されたグループに含まれる調光管ＩＤは、その後、例外グループに分けられることになる。上述したように、例外グループは、１灯具内に含まれる管本数よりも多い数の調光管ＩＤが登録されても良い。これらの結果、制御装置１０は、照度センサ３８ｄの誤検知等によってグループ間で不整合が生じる場合であっても、好適なグルーピングを実現することができる。
【０１２４】
（２）構成
また、上記文書中や図面中等で示した処理手順、制御手順、具体的名称、各種のデータやパラメータ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。上述したように、制御装置１０と無線ＧＷ２０とは、一部又は全ての機能を、互いの装置に分散・統合することができる。
【０１２５】
（３）プログラム
また、制御装置１０で実行される制御プログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、制御装置１０で実行される制御プログラムを、インターネット等のネットワークに接続されたコンピュータ上に格納し、ネットワーク経由でダウンロードさせることにより提供するようにしても良い。また、制御装置１０で実行される制御プログラムをインターネット等のネットワーク経由で提供又は配布するように構成しても良い。また、制御装置１０で実行される制御プログラムを、ＲＯＭ等に予め組み込んで提供するように構成しても良い。
【０１２６】
制御装置１０で実行される制御プログラムは、上述した各部（指示部１２０、取得部１４０、グループ処理部１５０）を含むモジュール構成となっており、実際のハードウェアとしてはＣＰＵが記憶媒体から制御プログラムを読み出して実行することにより、上記各部が主記憶装置上にロードされ、指示部１２０、取得部１４０、グループ処理部１５０が主記憶装置上に生成されるようになっている。
【符号の説明】
【０１２７】
１  制御システム
１０  制御装置
２０  無線ＧＷ
３０  ＬＥＤ調光管
４０  ＬＥＤ調光管
１１０  通信制御部
１２０  指示部
１３０  記憶部
１４０  取得部
１５０  グループ処理部
３１０  通信制御部
３２０  調光制御部
３３０  センサ制御部
４１０  通信制御部
４２０  調光制御部
【先行技術文献】
【特許文献】
【０１２８】
【特許文献１】特開２０１６−６６６０３号公報
【図１】
2018073701.tif 000003
【図２】
2018073701.tif 000004
【図３Ａ】
2018073701.tif 000005
【図３Ｂ】
2018073701.tif 000006
【図４】
2018073701.tif 000007
【図５】
2018073701.tif 000008
【図６】
2018073701.tif 000009
【図７Ａ】
2018073701.tif 000010
【図７Ｂ】
2018073701.tif 000011
【図７Ｃ】
2018073701.tif 000012
【図８Ａ】
2018073701.tif 000013
【図８Ｂ】
2018073701.tif 000014
【図８Ｃ】
2018073701.tif 000015
【図９】
2018073701.tif 000016
【図１０】
2018073701.tif 000017
【図１１】
2018073701.tif 000018
【図１２】
2018073701.tif 000019
【図１３Ａ】
2018073701.tif 000020
【図１３Ｂ】
2018073701.tif 000021
【図１３Ｃ】
2018073701.tif 000022
【図１４】
2018073701.tif 000023
【図１５】
2018073701.tif 000024
【図１６Ａ】
2018073701.tif 000025
【図１６Ｂ】
2018073701.tif 000026
【図１６Ｃ】
2018073701.tif 000027
【図１６Ｄ】
2018073701.tif 000028
【図１６Ｅ】
2018073701.tif 000029
【図１６Ｆ】
2018073701.tif 000030
【図１７】
2018073701.tif 000031
【図１８】
2018073701.tif 000032
【図１９Ａ】
2018073701.tif 000033
【図１９Ｂ】
2018073701.tif 000034
【図１９Ｃ】
2018073701.tif 000035
【図２０】
2018073701.tif 000036
【図２１】
2018073701.tif 000037